(57)【要約】【課題】簡易な構成で、輸送時における被収納物と冊子との収納空間内での移動による損傷を抑制でき、且つ、開梱する際に、先ず、冊子が視認されるような包装箱を提供することを課題とする。【解決手段】本発明に係る包装箱１０は、収納空間Ｓの底面を画定する底壁１６と、収納空間Ｓの前面と後面とをそれぞれ画定し、所定間隔をおいて対向するように底壁１６に立設される一対の支持壁１２，１２と、収納空間Ｓの左側面と右側面とをそれぞれ画定し、一対の支持壁１２，１２における対向する端部間をそれぞれ遮るように底壁１６に立設される一対の規制壁１４，１４とを備え、一対の支持壁１２，１２は、一対の規制壁１４，１４よりも厚く、且つ各上端縁が略同一平面上にあり、一対の規制壁１４，１４は、少なくとも一対の支持壁１２，１２との境界部において、一対の支持壁１２，１２よりも高いことを特徴とする。【選択図】図１
2008230647.tif 000002
【特許請求の範囲】
【請求項１】
上部から被収納物を出し入れ可能な収納空間を有する包装箱であって、
前記収納空間の底面を画定する底壁と、
前記収納空間の前面と後面とをそれぞれ画定し、所定間隔をおいて対向するように前記底壁に立設される一対の支持壁と、
前記収納空間の左側面と右側面とをそれぞれ画定し、前記一対の支持壁における対向する端部間をそれぞれ遮るように前記底壁に立設される一対の規制壁とを備え、
前記一対の支持壁は、前記一対の規制壁よりも厚く、且つ各上端縁が略同一平面上にあり、
前記一対の規制壁は、少なくとも前記一対の支持壁との境界部において、前記一対の支持壁よりも高いことを特徴とする包装箱。
【請求項２】
前記一対の支持壁は、外板と内板とが所定幅の上端面部を介して連なる内外二重構造であることを特徴とする請求項１に記載の包装箱。
【発明の詳細な説明】
【技術分野】
【０００１】
本発明は、被収納物と冊子とが一緒に梱包される際に用いられる包装箱に関するものである。
【背景技術】
【０００２】
従来より、カタログギフト等の通信販売において、粗品やサンプル、商品等の被収納物とカタログ等の冊子とが一緒に梱包されて送付される際には、先ず、包装箱の収納空間底部に前記冊子が収納され、その上に前記被収納物が収納された後に梱包され、顧客等に送付されていた。
【発明の開示】
【発明が解決しようとする課題】
【０００３】
ところで、このように包装箱の収納空間内に被収納物と冊子とが一緒に収納されて送付された場合、通常、収納空間には開きスペースが多く形成され、そのため、輸送時の振動等によって被収納物や冊子がそれぞれ収納空間内で移動し、被収納物が冊子との衝突によって損傷する場合や、また、冊子の一部が自重によって折れ曲がるといった問題が生じることがあった。
【０００４】
また、カタログ等の冊子が収納空間底部に収納されていると、顧客等は、開梱する際に、その上に収納されている粗品やサンプル等だけを取り出し、その下に収納されている前記カタログ等の冊子を取り出して内容を見ることなく破棄する場合があった。そのため、通信販売の本来の目的である顧客等にカタログ等の冊子の内容を見てもらい、商品等を購入してもらうという目的が達成されないという問題も生じていた。
【０００５】
そこで、本発明は、上記問題点に鑑み、簡易な構成で、輸送時における被収納物と冊子との収納空間内での移動による損傷を抑制でき、且つ、開梱する際に、先ず、冊子が視認されるような包装箱を提供することを課題とする。
【課題を解決するための手段】
【０００６】
上記課題を解消すべく、本発明に係る包装箱は、上部から被収納物を出し入れ可能な収納空間を有する包装箱であって、前記収納空間の底面を画定する底壁と、前記収納空間の前面と後面とをそれぞれ画定し、所定間隔をおいて対向するように前記底壁に立設される一対の支持壁と、前記収納空間の左側面と右側面とをそれぞれ画定し、前記一対の支持壁における対向する端部間をそれぞれ遮るように前記底壁に立設される一対の規制壁とを備え、前記一対の支持壁は、前記一対の規制壁よりも厚く、且つ各上端縁が略同一平面上にあり、前記一対の規制壁は、少なくとも前記一対の支持壁との境界部において、前記一対の支持壁よりも高いことを特徴とする。
【０００７】
かかる構成によれば、一対の支持壁が冊子の両端部を下方側から支持することができる。即ち、冊子は、所定間隔をおいて対向するように底壁に立設される一対の支持壁における各上端縁上に冊子が架け渡された状態で支持される。同時に、一対の規制壁が少なくとも前記一対の支持壁との境界部において、前記一対の支持壁よりも高いことから、前記架け渡された冊子の前記両端部における両側縁が前記規制壁と当接し、前記両側縁を結ぶ方向への冊子の前記両端部の移動が規制されることになる。
【０００８】
このとき、前記一対の支持壁の上端縁が、それぞれ略同一の平面上にある（位置する）ように形成されていることから、架け渡すように支持されている冊子は安定する。尚、本発明において略同一は、同一を含む概念である。
【０００９】
一方、上述のように冊子が一対の支持壁によって架け渡されるように支持され、且つ一対の規制壁に当接して移動が規制されることで、底壁、一対の支持壁、一対の規制壁及び前記冊子によって、閉じた空間（収納空間）が形成され、かかる空間に被収納物を閉じ込め可能となる。
【００１０】
このように形成された収納空間に被収納物が収納され（閉じ込められ）、包装箱に対し、冊子が一対の支持壁と一対の規制壁とにより位置決めされた後、前記包装箱が外装部材等で梱包されると、冊子が包装箱に対して固定されるため、輸送時の振動等によっても移動することがない。その結果、冊子の移動による冊子自身の折れ曲がりや、被収納物との衝突が抑制され、互いに損傷することが少なくなる。
【００１１】
さらに、包装箱の梱包時において、包装箱の前記底壁、一対の支持壁及び一対の規制壁によって形成される上部が開口した収納空間の該開口を覆うように冊子が位置決め（配置）されているため、包装箱梱包している外装部材等を開梱した顧客等によって、先ず、冊子が視認される。さらに、顧客は、前記冊子を手に取って移動させなければ包装箱の収納空間に収納されている被収納物を取り出すことができないため、顧客等が手に取った冊子の内容を見る可能性が大きくなる。
【００１２】
また、前記一対の支持壁は、前記一対の規制壁よりも厚くなるように形成されていることから、前記一対の規制壁よりも強度が大きくなる。そのため、重い冊子であっても、包装箱（一対の支持壁）は押し潰されることなく前記冊子を支持することができる。また、一対の支持壁は、壁厚が厚いことから、冊子を支持している部分（上端縁部分）の冊子との接触面積が大きくなり、冊子両端部の前記一対の支持壁との接触部分を傷つけることなく安定して支持することができる。
【００１３】
また、前記一対の支持壁は、外板と内板とが所定幅の上端面部を介して連なる内外二重構造であることが好ましい。
【００１４】
かかる構成によれば、前記一対の支持壁は、各支持壁を構成する外板と内板との二枚の板体によって前記支持壁に加わる力（例えば、冊子の重量）に対抗することができるため、前記支持壁の強度が保たれつつ、外板と内板との間に間隙（空間）が形成されるために軽量化が図られる。
【００１５】
また、前記一対の支持壁は、各支持壁の上端縁部分がそれぞれ外板と内板とを連接する所定幅の上端面部で構成されていることから、前記同様、冊子を支持する際に、該冊子と接触する部分の接触面積が大きくなり、冊子の両端部の前記一対の支持壁との接触部分を傷つけることなく安定して支持することができる。
【発明の効果】
【００１６】
以上より、本発明によれば、簡易な構成で、輸送時における被収納物と冊子との収納空間内での移動による損傷を抑制でき、且つ、開梱する際に、先ず、冊子が視認される包装箱が提供される。
【発明を実施するための最良の形態】
【００１７】
以下、本発明の一実施形態について、図１乃至図６に基づいて説明する。
【００１８】
図１に示されるように、包装箱１０は、上部開口から収納空間Ｓへ被収納物が出し入れ可能となるよう、収納空間Ｓの底面、前面、後面及び左右側面をそれぞれ画定するため、前記収納空間Ｓを囲繞するように一対の支持壁１２,１２と一対の規制壁１４,１４とで構成される周壁が底壁１６の周縁に沿って立設されることによって形成されている。本実施形態においては、この包装箱１０は、段ボール製のシート材が組み立てられることによって形成されており、かかるシート材は、図２に示されるような形状に裁断されている。尚、本実施形態において、包装箱１０の前後方向とは、一対の支持壁１２，１２を結ぶ方向をいい、左右方向とは、一対の規制壁１４，１４を結ぶ方向をいう。また、図中、一点差線は、折目を示す。
【００１９】
詳細には、図１及び図２に示すように、一対の支持壁１２，１２の一部を構成する一対の支持壁外板１２ａ，１２ａと、一対の規制壁１４，１４の一部を構成する一対の規制壁外板１４ａ，１４ａとが、展開状態で下端が一直線状となるよう、折目１０ｃ，１２ｃ，１４ｃを介して交互に連接されている。
【００２０】
支持壁外板１２ａの上端には、所定間隔の２本の折目１６ｃ，１８ｃを介して支持壁内板１２ｂが連接されている。かかる所定間隔は、支持壁１２の壁厚を規定するものであり、本実施形態においては、後述の支持壁１２，１２が冊子Ｋを支持した状態で梱包された際に、支持壁１２が冊子Ｋの重さ、及び輸送時等に通常加わる外からの力によって、包装箱１０が押し潰されない壁厚となるように設定されている。また、前記２本の折目１６ｃ，１８ｃの長さ方向中央部には、横長の略楕円形状の開口１８が前記２本の折目１６ｃ，１８ｃを跨ぐような位置に穿設されている。支持壁内板１２ｂの上端には、さらに、フラップ片２０が折目２０ｃを介して連接されている。一方、支持壁外板１２ａの下端には、折目２２ｃを介して底板片１６ａが連接されている。尚、包装箱１０の展開図において、上下左右は、図２における上下左右をいい、例えば、上端又は下端とは、図２における上方側の端部又は下方側の端部をいい、左端又は右端とは、図２における左側の端部又は右側の端部をいう。
【００２１】
規制壁外板１４ａの上端には、折目２４ｃを介して規制壁内板１４ｂが連接されている。規制壁内板１４ｂの上端には、さらにフラップ片２２が折目２６ｃを介して連接されている。規制壁外板１４ａの下端には、折目２８ｃを介して底板片１６ｂが連接されている。また、左側の規制壁外板１４ａの左端には、糊代２４が折目３０ｃを介して連接されている。
【００２２】
本実施形態に係る包装箱１０を構成するシート材は、以上のような構成であり、以下にその組み立て方を説明する。
【００２３】
左右に連接された一対の支持壁外板１２ａ，１２ａと一対の規制壁外板１４ａ，１４ａと糊代２４とは、折目１０ｃ，１２ｃ，１４ｃ，３０ｃで略直角に折り曲げられ、筒状に形成される。即ち、内側に形成される平面視四角形の空間（後述の収納空間）Ｓを囲繞するように折目１０ｃ，１２ｃ，１４ｃ，３０ｃで屈曲させ、糊代２４と右側の支持壁外板１２ａとを接着させる。
【００２４】
底板片１６ａ，１６ｂがそれぞれ前記筒状の内側に向けて折目２２ｃ，２８ｃで折り曲げられた後、張り合わされ、対向する底板片１６ａ，１６ａの先端同士が噛み合わされることで前記筒状の下端が閉止され、底壁１６が構成される。
【００２５】
次に、規制壁内板１４ｂ，１４ｂが内側へ折り曲げられる。このとき、規制壁外板１４ａと折目２４ｃを介して連接している規制壁内板１４ｂとは、前記折目２４ｃに対して略対称に形成されているため、規制壁外板１４ａにおける折目２４ｃから折目２８ｃまでの距離と、規制壁内板１４ｂにおける折目２４ｃから折目２６ｃまでの距離とが略同一となる。従って、規制壁内板１４ｂに連接されているフラップ片２２は、規制壁内板１４ｂを内側へ折り曲げた際に底壁１６に当接するため、底壁１６に沿って前記規制壁内壁１４ｂとは反対方向へ折り曲げられる。このようにして、折り曲げられた規制壁内板１４ｂと規制壁外板１４ａとで規制壁１４が構成される。
【００２６】
このように構成された規制壁１４は、支持壁１２よりも高くなるように、規制壁外板１４ａ及び規制壁内板１４ｂの高さ、即ち、規制壁外板１４ａにおける折目２８ｃから折目２４ｃまでの距離と規制壁内板１４ｂにおける折目２４ｃから折目２６ｃまでの距離とが設定されている。
【００２７】
より詳細には、後述する一対の支持壁１２，１２で冊子Ｋの両端部を支持した際に、該冊子Ｋの表面（上面）と同一、若しくは、僅かに規制壁１４，１４の上端部（折目２４ｃ部）が突出するような高さに設定されている。また、後述する両支持壁１２，１２の外面間（支持壁外板１２ａ，１２ａの表面間）の距離が冊子Ｋの背表紙に沿った方向（本実施形態においては、冊子Ｋの長辺方向）の長さと等しく、若しくは、ほぼ等しくなるように設定され、両規制壁１４，１４の内面間（規制壁内板１４ｂ，１４ｂの表面間）の距離が冊子Ｋの背表紙と直交する方向（本実施形態においては、冊子Ｋの短辺方向）の長さと等しく、若しくは、ほぼ等しくなるように設定されている。
【００２８】
次に、支持壁内板１２ｂ，１２ｂが内側へ折り曲げられる。このとき、支持壁外板１２ａと支持壁内板１２ｂとの連接部に所定間隔をおいて設けられた２本の折目１６ｃ，１８ｃが順に折り曲げられることで、かかる部分が断面コ字状となり、前記支持壁外板１２ａと前記支持壁内板１２ｂとの間に所定間隔の間隙が形成される。即ち、支持壁１２は、支持壁外板１２ａと支持壁内板１２ｂとの間に間隙が形成されるよう、所定幅の上端面部（前記連接部）を介して連なる内外二重構造に形成される。かかる間隙によって、支持壁１２の壁厚が規制壁１４の壁厚よりも厚く形成される。このとき、一対の支持壁１２，１２における前記所定幅の上端面部は、それぞれ略同一（同一を含む）の平面上にある（位置する）ように形成されている。また、支持壁外板１２ａと２本の折目１６ｃ，１８ｃを介して連接している支持壁内板１２ｂとは、前記２本の折目１６ｃ，１８ｃで構成される連接部に対して略対称に形成されているため、支持壁外板１２ａにおける折目１６ｃから折目２２ｃまでの距離と、支持壁内板１２ｂにおける折目１８ｃから折目２０ｃまでの距離とが略同一となる。従って、支持壁内板１２ｂに連接されているフラップ片２０は、支持壁内板１２ｂを内側へ折り曲げた際に底壁１６に当接するため、底壁１６に沿って前記支持壁内壁１２ｂとは反対方向へ折り曲げられる。このようにして、折り曲げられた支持壁内板１２ｂと支持壁外板１２ａとで支持壁１２が構成される。
【００２９】
以上のようにして、組み立てられた包装箱１０には、図３（イ）に示されるように、一対の支持壁１２，１２、一対の規制壁１４，１４及び底壁１６によって画定されている収納空間Ｓに被収納物（図示せず）が収納され、カタログ等の冊子Ｋが、一対の支持壁１２，１２上に架け渡されるように載置される。このとき、冊子Ｋは、背表紙に沿った方向における両端部が一対の支持壁１２，１２の上端によってそれぞれ支持される。
【００３０】
そして、図３（ロ）に示されるように、包装箱１０の左右方向においては、冊子Ｋの両側縁が一対の規制壁１４，１４（一対の規制壁内板１４ｂ，１４ｂ）にそれぞれ当接しているため、冊子Ｋの包装箱１０に対する左右方向の移動は、規制されている。
【００３１】
この状態で、図４乃至図６に示されるように、包装箱１０は、外装部材５０によって包み込むように梱包される。図４は、外装部材５０の展開図であり、図５及び図６は、外装部材５０による、包装箱１０の梱包方法を示す図である。
【００３２】
外装部材５０は、包装箱１０と同様に、段ボール製のシート材が裁断されることで形成されている。外装部材５０は、包装箱１０を梱包した際に、包装箱１０の底壁１６、一対の支持壁１２，１２及び一対の規制壁１４，１４と、それぞれ対応する位置に、対応した形状の底板５２、前後板５４，５６及び左右側板５８，６０とを備え、さらに、包装箱１０の上部開口を覆うような位置に第１蓋片６２，６４及び第２蓋片６６，６８とを備える。
【００３３】
詳細には、図４に示すように、第２蓋片６６、前板５４、底板５２、後板５６及び第２蓋片６８が順に折目を介して連接されている。底板５２には、下方に向かって左板５８と第１蓋片６２とが順に折目を介して連接され、上方に向かって、同様に、右板６０と第１蓋片６４とが順に折目を介して連接されている。左右側板５８，６０には、左右両端に折込片７０，７０，７２，７２が折目を介してそれぞれ連接されている。尚、外装部材５０の展開図において、上下左右方向は、図４における上下左右方向をいう。
【００３４】
第１蓋片６２，６４は、下方及び上方にそれぞれ膨出した円弧状に形成され、さらにその先端には、より径の小さな半円形状の係止片７４，７６が連接されている。該係止片７４，７６の基部には、それぞれ反対方向から水平方向の切れ込みが略中央部まで形成されている。
【００３５】
第２蓋片６６，６８は、それぞれ矩形状に形成され、包装箱１０を梱包した際、それぞれ重なって対応する位置に、一方の第２蓋片６６には、その一部に切れ目を設けることで折り返し係止片７８が形成され、他方の第２蓋片６８には、前記折り返し係止片７８に対応した形状の折り返し係止孔８０が穿設されている。
【００３６】
本実施形態に係る外装部材５０は、以上のような構成であり、以下に包装箱１０の梱包方法を示す。
【００３７】
被収納物が包装箱１０の収納空間Ｓに収納されると共に、冊子Ｋが一対の支持壁１２，１２によって、その両端部を下方側から支持され、且つ一対の規制壁１４，１４によって包装箱１０に対しての左右方向への移動を規制された状態で、図５及び図６に示すように、当該包装箱１０が外装部材５０の底板５２の上に載置される。そして、左右側板５８，６０が折目で折り曲げられ、包装箱１０の一対の規制壁１４，１４に沿う位置まで起立させられる。その後、左右側壁５８，６０の両端の折込片７０，７０，７２，７２がそれぞれ包装箱１０の一対の支持壁１２，１２に沿う位置まで折り曲げられる。次に、第１蓋片６２，６４が包装箱１０の上方に支持・規制されている冊子Ｋの表面に沿う位置まで折り曲げられ、互いの係止片７４，７６の切れ込み同士が噛み合わされて係止される。
【００３８】
次に、前後板５４，５６が折目で折り曲げられ、包装箱１０の一対の支持壁１２，１２に沿う位置まで起立させられる（図５の矢印α及びβ）。その後、一方の第２蓋片６６が前記係止させた第１蓋片７４，７６に沿う位置まで折り曲げられ、次いで、他方の第２蓋片６８が前記折り曲げられた一方の第２蓋片６６に沿う位置まで折り曲げられる。このとき、一方の第２蓋片６６の折り返し係止片７８の上には、他方の第２蓋片６８の折り返し係止孔８０が位置し、折り返し係止片７８が折り返し係止孔８０を挿通するように上方側に折り返えされることで、第２蓋片６６，６８は、互いに係止され、包装箱１０が外装部材５０によって梱包される（図６の矢印γ）。
【００３９】
以上より、冊子Ｋは、所定間隔をおいて対向するように底壁１６に立設される一対の支持壁１２，１２における各上端縁の上に架け渡された状態で支持されると共に、一対の規制壁１４，１４が一対の支持壁１２，１２も高くなるように設定されていることから、前記架け渡された冊子Ｋの両側縁が前記規制壁１４，１４と当接し、包装箱１０に対して左右方向への移動が規制されることになる。
【００４０】
このとき、一対の支持壁１２，１２の上端縁（上端面部）が、それぞれ略同一の平面上にある（位置する）ように形成されていることから、架け渡すように支持されている冊子Ｋは安定する。
【００４１】
また、一対の支持壁１２，１２は、一対の規制壁１４，１４よりも壁厚が厚くなるように形成されていることから、一対の規制壁１４，１４よりも強度が大きくなる。そのため、重い冊子Ｋであっても、包装箱１０（一対の支持壁１２，１２）は押し潰されることなく前記冊子Ｋを支持することができる。また、一対の支持壁１２，１２は、壁厚が厚くなるように形成されていることから、冊子Ｋを支持している部分（上端面部）の冊子Ｋとの接触面積が大きくなり、冊子Ｋ両端部における一対の支持壁１２，１２との接触部分を傷つけることなく安定して支持することができる。
【００４２】
このとき、前記一対の支持壁１２，１２は、支持壁外板１２ａと支持壁内板１２ｂとが所定幅の前記上端面部を介して連なる内外二重構造に形成されていることから、一対の支持壁１２，１２は、各支持壁１２，１２を構成する支持壁外板１２ａと支持壁内板１２ｂとの二枚の板体によって前記支持壁１２に加わる冊子Ｋの重量等に対抗することができるため、前記支持壁１２の強度が保たれつつ、支持壁外板１２ａと支持壁内板１２ｂとの間に間隙（空間）が形成されるために軽量化が図られる。
【００４３】
一方、上述のように冊子Ｋの両端部が一対の支持壁１２，１２によって架け渡されるように支持され、且つ両側縁が一対の規制壁１４，１４に当接して移動が規制されることで、包装箱１０の底壁１６、一対の支持壁１２，１２、一対の規制壁１４，１４及び前記冊子Ｋによって、閉じた空間（収納空間）Ｓが形成され、かかる収納空間Ｓに被収納物を閉じ込め可能となる。
【００４４】
このように形成された収納空間Ｓに被収納物が収納され（閉じ込められ）、包装箱１０に対し、冊子Ｋが一対の支持壁１２，１２と一対の規制壁１４，１４とにより位置決めされた後、包装箱１０が外装部材５０で梱包されると、冊子Ｋが包装箱１０に対して固定されるため、輸送時の振動等によっても移動することがなくなる。その結果、冊子Ｋの移動による冊子Ｋ自身の折れ曲がりや、被収納物との衝突が抑制され、互いに損傷することが少なくなる。
【００４５】
さらに、包装箱１０の梱包時において、包装箱１０の収納空間Ｓの上部開口を覆うように冊子Ｋが位置決めされているため、包装箱１０を受け取って該包装箱１０を梱包している外装部材５０を開梱した顧客等によって、先ず、冊子Ｋが視認される。さらに、顧客等は、前記冊子Ｋを手に取って移動させなければ包装箱１０の収納空間Ｓに収納されている被収納物を取り出すことができないため、顧客等が手に取った冊子Ｋの内容を見る可能性が大きくなる。
【００４６】
尚、本発明の包装箱１０は、上記実施形態に限定されるものではなく、本発明の要旨を逸脱しない範囲内において種々変更を加え得ることは勿論である。
【００４７】
例えば、一対の支持壁１２，１２は、本実施形態においては、その上端縁が包装箱１０の底壁１６と平行な平面上に位置するように形成されているがこれに限定される必要はなく、図７（イ）に示されるように、湾曲していてもよく、また、図７（ロ）に示されるように、底壁１６に対して傾斜していても、上端縁が略同一平面上に位置していればよい。即ち、一対の支持壁１２’，１２’又は１２”、１２”の上端縁が、湾曲若しくは傾斜等した平面上であっても、略同一平面上に位置していれば、ハードカバーでない軟らかい表紙の冊子であれば、該上端縁に沿った形状で一対の支持壁１２’，１２’又は１２”、１２”上に架け渡すように載置することができる。
【００４８】
また、本実施形態において、一対の規制壁１４，１４の上端縁は、底壁１６と平行な直線状となるように形成されているが、これに限定される必要はなく、図７（イ）に示されるように、少なくとも支持壁１２’と規制壁１４’との境界部において、規制壁１４’が支持壁１２’よりも高くなるように形成されていればよい。さらに、図７（ロ）に示されるように、一対の規制壁１４”，１４”の高さは異なっていてもよい。これらのように形成されることで、一対の支持壁１２’，１２’に支持される冊子Ｋは、その両端部の包装箱１０’に対する左右方向の移動が規制される。
【００４９】
また、本実施形態においては、一対の支持壁１２，１２は、支持壁外板１２ａと支持壁内板１２ｂとの連接部における２本の折目で折り曲げられ、内部に空間を有する内外二重構造の壁となることで、一対の規制壁１４，１４よりも厚く形成されるが、これに限定される必要もなく、一対の支持壁１２，１２において、複数枚の同形の板体が積層されることで壁厚が一対の規制壁よりも厚くなるように形成してもよい。
【図面の簡単な説明】
【００５０】
【図１】本実施形態に係る包装箱の斜視図を示す。
【図２】本実施形態に係る包装箱の展開図を示す。
【図３】本実施形態に係る包装箱に冊子を載置した状態であって、（イ）は縦断面図を示し、（ロ）は横断面図を示す。
【図４】本実施形態に係る外装部材の展開図を示す。
【図５】本実施形態に係る外装部材での包装箱の梱包方法を示す斜視図である。
【図６】本実施形態に係る外装部材で包装箱を梱包した状態の斜視図を示す。
【図７】（イ）及び（ロ）は、他実施形態に係る包装箱の概略斜視図を示す。
【符号の説明】
【００５１】
１０…包装箱、１０ｃ，１２ｃ，１４ｃ，１６ｃ，１８ｃ，２０ｃ，２２ｃ，２４ｃ，２６ｃ，２８ｃ，３０ｃ…折目、１２…支持壁、１２ａ…支持壁外板、１２ｂ…支持壁内板、１４…規制壁、１４ａ…規制壁外板、１４ｂ…規制壁内板、１６…底壁、１６ａ，１６ｂ…底板片、１８…開口、２０，２２…フラップ片、２４…糊代、５０…外装部材、５２…底板、５４…前板、５６…後板、５８…左側板、６０…右側板、６２，６４…第１蓋片、６６，６８…第２蓋片、７０，７２…折込片、７４，７６…係止片、７８…折り返し係止片、８０…折り返し係止孔、Ｋ…冊子、Ｓ…収納空間
【図１】
2008230647.tif 000003
【図２】
2008230647.tif 000004
【図３】
2008230647.tif 000005
【図４】
2008230647.tif 000006
【図５】
2008230647.tif 000007
【図６】
2008230647.tif 000008
【図７】
2008230647.tif 000009